(57)【要約】【課題】低反射膜等により光の反射が抑制されたフラットパネルの画面上にレーザを照射することにより輝点スポットを明るく表示させることができるようにする。【解決手段】画像を構成する多数の画素をマトリックス配列したフラットパネル（２）が、ウィンドウフレーム（３）に固定されて成り、フラットパネル（３）の正面側に、レーザ光により励起されて可視光を発する蛍光物質（６）を分散した蛍光パネル（９）などの可視光透過性蛍光層（７）を配した。【選択図】図１
2011033812.tif 000002
【特許請求の範囲】
【請求項１】
画像を構成する多数の画素をマトリックス配列したフラットパネルが、ウィンドウフレームに固定されて成るフラットパネル型ディスプレイ装置において、
前記フラットパネルの正面側に、レーザ光により励起されて可視光を発する蛍光物質を分散した可視光透過性蛍光層が配されたことを特徴とするフラットパネル型ディスプレイ装置。
【請求項２】
前記蛍光層が、前記蛍光物質を分散した可視光透過性樹脂で形成された蛍光パネルで成り、当該蛍光パネルがウィンドウフレームに取付固定されて成る請求項１記載のフラットパネル型ディスプレイ装置。
【請求項３】
前記蛍光層が、前記蛍光物質を分散した可視光透過性樹脂で形成された蛍光フィルムで成り、当該蛍光フィルムが前記フラットパネルの正面に貼付された請求項１記載のフラットパネル型ディスプレイ装置。
【請求項４】
前記蛍光層が、前記蛍光物質を分散した可視光透過性樹脂をフラットパネルの前面に塗布形成した塗膜で成る請求項１記載のフラットパネル型ディスプレイ装置。
【発明の詳細な説明】
【技術分野】
【０００１】
本発明は、画面上にレーザポインタのビームスポットを明るく表示させることのできるフラットパネル型ディスプレイ装置に関し、特に、液晶ディスプレイ、プラズマディスプレイ、有機ＥＬディスプレイなどのプレゼンテーション用大画面フラットパネル型ディスプレイ装置に適用して好適なものである。
【背景技術】
【０００２】
会議や学会などで大勢の聴衆を前にプレゼンテーションする場合に使用されるディスプレイ装置としては、液晶プロジェクターなどにより画像をスクリーン上に投影するプロジェクター型ディスプレイ装置が一般的であるが、最近では、液晶ディスプレイ等のフラットパネル型ディスプレイ装置の大型化、低価格化が進み、プロジェクターのように周囲を暗くしなくても鮮明に画像を見ることができることから、比較的小規模の会議などではプロジェクター型ディスプレイ装置に替えて、フラットパネル型ディスプレイ装置が使用される。
【０００３】
ところで、このようなフラットパネル型ディスプレイ装置は、周囲の光が画面に映り込むことにより画像の視認性が低下することから、フラットパネルの表面に低反射膜を設けるなど反射防止対策が施されている。
したがって、プレゼンテーションに使用した場合に、レーザポインタで画面上の任意の場所を指し示そうとしても、レーザ光が画面上で反射しないので、そのレーザスポットが見え難いという問題があった。
【０００４】
このため、レーザポインタを使用することなく、画面上の任意の場所を指し示すことのできる装置が提案されている（特許文献１及び２）。
特許文献1には、水平、垂直方向の傾きを検出するジャイロを備えたハンディタイプのポインティングデバイスが開示されている。これによれば、ポインティングデバイスを特定の方向に向けたときの角度が検出されて表示装置に水平方向角度データ及び垂直方向角度データが送られ、これらの角度データに基づいてディスプレイ画面に表示させたカーソルを移動させようとするものである。
また、特許文献２には、ディスプレイに表示させたカーソルの上下左右への移動方向を指示する四つの方向制御ボタンが配されたリモ−トコントローラが開示され、このリモートコントローラの任意の方向制御ボタンを操作することによりカーソルを移動させる技術が開示されている。
【０００５】
しかしながら、上述したような、ポインティングデバイスやリモートコントローラを使用する場合は、特別な電気回路が必要となり装置が複雑になるだけでなく、通信制御を行うプログラムや、データ処理を行うプログラムが必要になるため、任意の場所を指し示すだけであればレーザポインタが最も手軽である。
【先行技術文献】
【特許文献】
【０００６】
【特許文献１】特開平５−８０９２５号公報
【特許文献２】特開２００５−１４８５９５号公報
【発明の概要】
【発明が解決しようとする課題】
【０００７】
そこで本発明は、低反射膜等により光の反射が抑制された画面上にレーザにより輝点スポットを明るく表示させることのできるフラットパネル型ディスプレイ装置を提供することを技術的課題としている。
【課題を解決するための手段】
【０００８】
この課題を解決するために、請求項１の発明は、画像を構成する多数の画素をマトリックス配列したフラットパネルが、ウィンドウフレームに固定されて成るフラットパネル型ディスプレイ装置において、前記フラットパネルの正面側に、レーザ光により励起されて可視光を発する蛍光物質を分散した可視光透過性蛍光層が配されたことを特徴としている。
請求項２の発明は、請求項１記載の蛍光層が、蛍光物質を分散した可視光透過性樹脂で形成された蛍光パネルで成り、当該蛍光パネルがウィンドウフレームに取付固定されて成る。
請求項３の発明は、請求項１記載の蛍光層が、蛍光物質を分散した可視光透過性樹脂で形成された蛍光フィルムで成り、当該蛍光フィルムがフラットパネルの正面に貼付されて成る。
請求項４の発明は、請求項１記載の蛍光層が、蛍光物質を分散した可視光透過性樹脂を前記フラットパネルの前面に塗布形成した塗膜で成る。
【発明の効果】
【０００９】
本発明に係るフラットパネル型ディスプレイ装置によれば、フラットパネルの正面側に可視光透過性蛍光層が配されている。フラットパネルには可視光画像が映し出され、その画像は蛍光層を透過するので、蛍光層は、フラットパネルに映し出された画像を視認する際に妨げとなることはない。
ここで、画像が映し出されたフラットパネル上の任意の位置を指し示す場合、レーザポインタによりフラットパネルに向けてレーザ光を照射すると、そのレーザ光がフラットパネルの正面側に配された可視光透過性蛍光層に照射される。
蛍光層には、レーザ光により励起されて可視光を発する蛍光物質が分散されているので、レーザ光が照射された位置に、そのスポット径に対応する径で可視光の蛍光が生じ、あたかも、可視光レーザポインタを照射したような輝点スポットを生じる。
この輝点スポットは、フラットパネル上で光が反射されて生成されるものではなく、蛍光層で生ずる蛍光により生成されるので、フラットパネルに可視光レーザを直接照射させた場合に比して、視認性に優れるという利点がある。
【図面の簡単な説明】
【００１０】
【図１】本発明に係るフラットパネル型ディスプレイ装置を示す断面図。
【図２】その組立図。
【図３】使用状態を示す説明図。
【図４】他の実施形態を示す説明図。
【発明を実施するための形態】
【００１１】
低反射膜等により光の反射が抑制されたフラットパネルの画面上にレーザを照射することにより輝点スポットを明るく表示させるという目的を達成するために、画像を構成する多数の画素をマトリックス配列したフラットパネルが、ウィンドウフレームに固定されて成るフラットパネル型ディスプレイ装置において、前記フラットパネルの正面側に、レーザ光により励起されて可視光を発する蛍光物質を分散した可視光透過性蛍光層を配した。
【実施例１】
【００１２】
図１〜図３に示すフラットパネル型ディスプレイ装置１は、画像を構成する多数の画素をマトリックス配列した液晶ディスプレイパネル、プラズマディスプレイパネル、有機ＥＬディスプレイパネルなどのフラットパネル２がウィンドウフレーム３に固定され、その背面側に取り付けられた支柱４の下端が台座５に固定されて支持されている。
そして、フラットパネル２の正面側には、レーザ光により励起されて可視光を発する蛍光物質６を分散させた可視光透過性蛍光層７が形成されている。
本例の蛍光層７は、アクリル、ポリカーボネートなどの透明な可視光硬化性樹脂８に蛍光物質６を分散した蛍光パネル９で成り、当該蛍光パネル９が固定金具１０によりウィンドウフレーム３の正面側に取付固定されて成る。
【００１３】
蛍光物質６としては、例えば、励起光として紫外線を用いる場合、赤色蛍光を発するユウロピウムや、緑色蛍光を発するテルビウムや、青色蛍光／黄色蛍光を発するセリウム及びツリウムなどが用いられる。
また、励起光として赤外線を用いる場合は、赤色蛍光を発するプラセオジムや、緑色蛍光を発するエルビウムや、青色蛍光を発するツリウムなどが用いられる。
これらの蛍光物質６は粒子状にして樹脂８中に分散され、その粒子直径は約４００ナノメートル未満であればよい。
また、可視励起型の蛍光物質６を用いることにより、可視光を励起光としてもよい。
【００１４】
以上が本発明の一構成例であって、次にその作用について説明する。
会議などにおいてプレゼンテーションなどに用いる場合、ディスプレイ装置１に任意の画像が映し出されると、その画像は可視光画像であるから蛍光パネル９（蛍光層７）を透過して観察することができ、蛍光パネル９が画像を視認する際に妨げとなることはない。
ここで、例えば、ディスプレイ装置１に取り付けられた蛍光パネル９に蛍光物質６としてセリウムが分散されている場合は、励起光として紫外線を照射することによりフラットパネル２上に視認性に優れた緑色蛍光の輝点スポットＰが生ずる。
【００１５】
このディスプレイ装置１を用いてプレゼンテーションを行う場合、発表者は、紫外線レーザポインタ１１によりフラットパネル２に向けてレーザ光１２を照射すると、そのレーザ光１２がフラットパネル２の正面側に配された蛍光パネル９に照射される。
蛍光パネル９には、蛍光物質６として紫外線により励起されて緑色蛍光を発するセリウムが分散されているので、紫外線のレーザ光１２が照射された位置に、そのスポット径に対応する径で緑色蛍光が生じ、あたかも、可視光レーザポインタを照射したような輝点スポットＰが観察される。
したがって、レーザ光１２の照射位置を移動させれば輝点スポットＰが移動することになり、ディスプレイ装置１上に映し出された可視光画像の任意の位置を指し示すことができる。
また、輝点スポットＰは、フラットパネル２上で光が反射されて生成されるものではなく、蛍光層７で生ずる蛍光により生成されるので、フラットパネル２に可視光レーザを直接照射させた場合に比して、視認性に優れる。
【実施例２】
【００１６】
図４は他の実施形態を示し、図１と共通する部分はご同一符号を付して詳細説明は省略する。
本例のフラットパネル型ディスプレイ装置２１は、可視光透過性蛍光層７が蛍光物質６を分散した可視光透過性樹脂２２で形成された蛍光フィルム２３で成り、当該蛍光フィルム２３を実施例１の蛍光パネル９に替えてフラットパネル２の正面に貼付した以外は、実施例１と同様である。
【００１７】
本例も、フラットパネル２に映し出された画像は可視光画像であるから蛍光フィルム２３（蛍光層７）を透過して観察することができ、蛍光フィルム２３が画像を視認する際に妨げとなることはない。
また、発表者がレーザポインタ１１によりフラットパネル２に向けて紫外線を照射すると、その紫外線レーザ光１２がフラットパネル２の正面側に配された蛍光フィルム７に照射され、レーザ光１２が照射された位置に、そのスポット径に対応する径で可視光の蛍光が生じ、あたかも、可視光レーザポインタを照射したような輝点スポットＰが観察される（図３参照）。
この輝点スポットＰは、フラットパネル２上で光が反射されて生成されるものではなく、蛍光層７で生ずる蛍光により生成されるので、フラットパネル２に可視光レーザを直接照射させた場合に比して、視認性に優れる。
【００１８】
なお、蛍光層７となる蛍光フィルム２３に替えて、蛍光物質６を分散した可視光透過性樹脂をフラットパネルの前面に塗布形成した塗膜で形成してもよい。
【産業上の利用可能性】
【００１９】
本発明は、会議などで用いる液晶ディスプレイ、プラズマディスプレイ、有機ＥＬディスプレイなどのプレゼンテーション用大画面フラットディスプレイ装置の用途に適用できる。
【符号の説明】
【００２０】
１  フラットパネル型ディスプレイ装置
２  フラットパネル
３  ウィンドウフレーム
６  蛍光物質
７  可視光透過性蛍光層
８  可視光硬化性樹脂
９  蛍光パネル
【図１】
2011033812.tif 000003
【図２】
2011033812.tif 000004
【図３】
2011033812.tif 000005
【図４】
2011033812.tif 000006